(57)【要約】【課題】  耳当て部を有する器具や機器を頭部に装着しても、眼鏡装着者に違和感や不快感を与えることがなく、耳当て部と前記眼鏡装着者の頭部との間に隙間が生じにくい眼鏡形フレームを提供する。【解決手段】  ヘッドホンなど耳当て部を有する器具又は機器を頭部に装着する際に、前記耳当て部とテンプルとが干渉しないようにする眼鏡形フレームにおいて、耳掛け部を有する主テンプル１１ａと、この主テンプル１１ａに隣接して設けられた補助テンプル１１ｂと、主テンプル１１ａ及び補助テンプル１１ｂの基部に設けられたテンプル展開機構１２とを有し、テンプル展開機構１２は、少なくとも主テンプル１１ａを、前記基部を支点に前記耳当て部と干渉しない上方位置に回動させる構成としてある。テンプル展開機構１２は、主テンプル１１ａを上方に回動させるとともに、補助テンプル１１ｂを眼鏡装着者の顔面に当接する下方位置まで回動させるようにしてもよい。【選択図】  図１
2019204008.tif 000002
【特許請求の範囲】
【請求項１】
ヘッドホンなど耳当て部を有する器具又は機器を頭部に装着する際に、前記耳当て部とテンプルとが干渉しないようにする眼鏡形フレームにおいて、
耳掛け部を有する主テンプルと、
この主テンプルに隣接して設けられた補助テンプルと、
前記主テンプル及び前記補助テンプルの基部に設けられたテンプル展開機構とを有し、
前記テンプル展開機構は、少なくとも前記主テンプルを、前記基部を支点に前記耳当て部と干渉しない上方位置に回動させること、
を特徴とする眼鏡形フレーム。
【請求項２】
前記テンプル展開機構は、前記主テンプルを、前記基部を支点に前記耳当て部と干渉しない上方位置に回動させるとともに、前記補助テンプルを眼鏡装着者の顔面に当接する下方位置まで回動させることを特徴とする請求項１に記載の眼鏡形フレーム。
【請求項３】
前記テンプル展開機構が、前記フロントフレームのヨロイ部に設けられていることを特徴とする請求項１又は２に記載の眼鏡形フレーム。
【請求項４】
前記主テンプルの形状を、前記耳掛け部までストレート状とし、後端部分を前記眼鏡装着者の後頭部に回り込むように湾曲状に形成したことを特徴とする請求項１〜３のいずれかに記載の眼鏡形フレーム。
【請求項５】
前記主テンプルの回動角度が２５°〜３５°、前記補助テンプルの回動角度が３５°〜４５°であることを特徴とする請求項１〜４のいずれかに記載の眼鏡形フレーム。
【請求項６】
前記主テンプル及び前記補助テンプルの回動角度を可変としたことを特徴とする請求項１〜５のいずれかに記載の眼鏡形フレーム。
【発明の詳細な説明】
【技術分野】
【０００１】
本発明は、眼鏡フレームやゴーグルなどの眼鏡形フレームに関し、特に、ヘッドホンやイヤーマフのように耳当て部を有する器具を装着する際に、眼鏡形フレームの装着者の頭部を圧迫しない眼鏡形フレームに関する。
【背景技術】
【０００２】
例えば、ゲームプレイヤーの多くは、ゲームに集中するために外部からの雑音を遮断できる密閉性の高いヘッドホンを頭部に装着してゲームプレイをしている。その一方で近視や乱視、遠視のゲームプレイヤーは眼鏡を装着し、その上からヘッドホンを頭部に装着している。また、いわゆるスマート眼鏡は、眼鏡形フレームに映像や画像、文字などを表示させるディスプレイを取り付けたものであるが、密閉性の高いヘッドホンと組み合わせることで、大画面、立体音響という映画館の雰囲気を体感できるものとして近年普及が進みつつある。その他にも、ヘッドホン形のイヤーマフは密閉性の高い耳当て部によって装着者の耳を暖めることができるもので、多種多様なものが市販されている。
【先行技術文献】
【特許文献】
【０００３】
【特許文献１】特開２００４−１０４７３７号公報
【特許文献２】特開平８−１８２０８５号公報
【発明の概要】
【発明が解決しようとする課題】
【０００４】
図５は、レンズを保持するフロントフレーム１４の両端にテンプル１１，１１を有する眼鏡を装着した眼鏡装着者が、ヘッドホンなど耳当て部Ｐを有する機器や器具を装着した際に生じる問題点を説明する図である。眼鏡を装着したうえでヘッドホン等の機器や器具を頭部に装着すると、その耳当て部Ｐによって眼鏡形フレームのテンプル１１，１１が押圧（押圧方向を図中矢印で示す）され、テンプル１１，１１がゲームプレイヤーなどの眼鏡装着者の側頭部を圧迫して不快感を生じさせるという問題があるほか、テンプル１１，１１が挿通する部分で耳当て部Ｐと頭部との間に隙間が生じ、音漏れや雑音の侵入、外気の侵入などの原因になるという問題がある。
特許文献１に記載の眼鏡にセットするヘッドホンでは、眼鏡とヘッドホンとが干渉することによる不快感を解消するためになされたもので、眼鏡のつる（テンプル）にヘッドホンを固定している。また、特許文献２に記載の立体映像観察用眼鏡付きヘッドホン装置は、長時間の使用によっても煩わしくないヘッドホン装置を提供するもので、立体映像観察用の眼鏡をヘッドホンに回動自在に取り付けている。
しかし、特許文献１，２に記載のいずれも、専用のヘッドホンが必要になったり、使用できるヘッドホンが限定されるという問題があり、音質に拘るゲームプレーヤーや、音楽とゲームとでヘッドホンを使い分けたいと希望する利用者などには不向きであるという問題がある。
【０００５】
本発明はこのような問題に鑑みてなされたもので、ゲームプレイヤーなど眼鏡形フレームの装着者が、ヘッドホンのような耳当て部を有する器具や機器を頭部に装着しても、前記眼鏡装着者に違和感や不快感を与えることがなく、かつ、ヘッドホン等の器具や機器を頭部に装着した際に、耳当て部と前記眼鏡装着者の頭部との間に隙間が生じにくく、種々のヘッドホンに限らずイヤーマフなど、他の耳当て部を有する器具や機器に広範に対応が可能な眼鏡形フレームの提供を目的とする。
【課題を解決するための手段】
【０００６】
本発明の眼鏡形フレームは、請求項１に記載するように、ヘッドホンなど耳当て部を有する器具又は機器を頭部に装着する際に、前記耳当て部とテンプルとが干渉しないようにする眼鏡形フレームにおいて、耳掛け部を有する主テンプルと、この主テンプルに隣接して設けられた補助テンプルと、前記主テンプル及び前記補助テンプルの基部に設けられたテンプル展開機構とを有し、前記テンプル展開機構は、少なくとも前記主テンプルを、前記基部を支点に前記耳当て部と干渉しない上方位置に回動させる構成としてある。
本発明は上記のように構成されているので、ヘッドホンなど耳当て部を有する器具又は機器を頭部に装着しない状態では、主テンプルと補助テンプルを閉じた状態として、通常の眼鏡フレームとして使用することができる。ヘッドホン等の機器や器具を装着する場合は、ヘッドホン等の耳当て部と干渉しない位置まで主テンプルを回動させることができるので、前記耳当て部によってテンプルが押圧され、眼鏡装着者に違和感や不快感を与えるということがない。また、耳当て部と前記眼鏡装着者の頭部との間に隙間ができるということもない。請求項２に記載するように、補助テンプルを眼鏡装着者の顔面に当接する位置まで回動させることで、主テンプルを上方に回動させた後に、顔面に当接する補助テンプルによって眼鏡形フレームを支持することができ、眼鏡フレームのずり落ちを抑制できる。
【０００７】
請求項３に記載するように、前記テンプル展開機構はフロントフレームのヨロイ部に設けてもよい。また、請求項４に記載するように、前記主テンプルの形状を、前記耳掛け部までストレート状とし、後端部分を前記眼鏡装着者の後頭部に回り込むように湾曲状に形成してもよい。このようにすれば、主テンプルの長さを一定以上に確保でき、主テンプルの回動角度を小さくすることができる。
一般的な機器、器具に用いられる耳当て部に対し、一般的な眼鏡フレームにおけるテンプルが干渉しないようにする回動角度の目安は、請求項５に記載するように、主テンプルにおいて２５°〜３５°程度である。補助テンプルにおいては３５°〜４５°程度である。請求項６に記載するように、前記主テンプル及び前記補助テンプルの回動角度を可変とすることで、耳当て部の大きさや眼鏡装着者の顔の形などに応じて、前記主テンプル及び前記補助テンプルの適切な回動角度を選択することが可能になる。
【発明を実施するための最良の形態】
【０００８】
以下、本発明の好適な実施形態について図面を参照しながら詳細に説明する。
図１は本発明の眼鏡形フレームの実施形態にかかり、（ａ）はその全体構成を説明する斜視図、（ｂ）は（ａ）の眼鏡形フレームの作用を説明する斜視図、図２（ａ）は図１の眼鏡形フレームの左側面図、（ｂ）は（ａ）の眼鏡形フレームの作用を説明する左側面図、図３（ａ）は図１の眼鏡形フレームの正面図、（ｂ）は図１の眼鏡形フレームの背面図、（ｃ）の（ａ）のＩ−Ｉ方向断面図、図４（ａ）は図１の眼鏡形フレームの平面図、（ｂ）は図１の眼鏡形フレームの底面図である。
【０００９】
眼鏡フレームは一般に、レンズを保持するフロントフレームと、このフロントフレームの左右に取り付けられ、眼鏡装着者の耳に掛かる耳掛け部を有するテンプルとを有している。また、フロントフレームがずり下がらないように、左右のレンズの間には鼻パッドが設けられるのが一般的である。また、非装着時にテンプルを折り畳むことができるように、フロントフレームと左右のテンプルとはヒンジによって連結される。
【００１０】
この実施形態の眼鏡形フレーム１は、左右のレンズＬ，Ｌを保持するフロントフレーム１４と、このフロントフレーム１４の両端に設けられたヒンジ１３によって折り畳み自在なテンプル１１とを有している。テンプル１１は、ヒンジ１３から眼鏡装着者の耳を経て後頭部まで延びる主テンプル１１ａと、この主テンプル１１ａの下方に配置された短尺の補助テンプル１１ｂとを有している。
主テンプル１１ａと補助テンプル１１ｂとは、ヒンジ１３の後方に設けられたテンプル展開機構１２によって上下に展開可能である。
図１（ｂ）及び図２（ｂ）に主テンプル１１ａと補助テンプル１１ｂの展開後の状態を示す。
主テンプル１１ａと補助テンプル１１ｂは、その基部がテンプル展開機構１２によって回動自在に支持されている。主テンプル１１ａは、テンプル展開機構１２に設けられた図示しない支軸を支点として、水平位置から耳当て部２と干渉しない上方位置まで回動自在で、補助テンプル１１ｂは、前記支軸を支点として、水平位置から眼鏡装着者の顔面に当接する下方位置まで回動自在である。主テンプル１１ａは、回動後も耳当て部２と干渉しないように、基部から耳掛け部までほぼストレート状に延びた形状とするのが好ましい。また、眼鏡装着時に眼鏡形フレーム１が前方にずれしないように、主テンプル１１ａの後端部分は前記眼鏡装着者の後頭部まで回り込む湾曲した形状とするのが好ましい。
【００１１】
主テンプル１１ａをストレート状とし、かつ、可能な限りフロントフレーム１４の近傍にテンプル展開機構２を設けることで、主テンプル１１ａの長さを十分に確保することができ、主テンプル１１ａの回動角度θａを小さくすることができる。このような主テンプル１１ａの回動角度θａは、概ね２５°〜３５°程度を目安とすることができる。また、補助テンプル１１ｂは、展開後に眼鏡装着者の顔面に当接することで、主テンプル１ａを上方に回動させた後の眼鏡フレーム１のずれを抑制する。補助テンプル１１ｂの回動角度θｂとしては、概ね３５°〜４５°程度を目安とすることができる。
【００１２】
テンプル展開機構１２は、主テンプル１１ａと補助テンプル１１ｂとをそれぞれ上方及び下方に回動させて展開させることができるものであれば、公知の機構を用いることができる。テンプル展開機構１２は主テンプル１１ａと補助テンプル１１ｂとを水平位置でロックするロック機構と、このロック機構によるロックを解除するロック解除ボタン１２ａと、ロックを解除したときに主テンプル１１ａと補助テンプル１１ｂとをそれぞれ上方及び下方に回動させるバネ等の弾性部材と、主テンプル１１ａ及び補助テンプル１１ｂを前記上方位置及び前記下方位置で停止させるストッパとを有している。そして、ロック解除ボタン１２ａを押すことで、主テンプル１１ａ及び補助テンプル１１ｂが前記弾性部材の付勢力により上下に回動し展開する。
【００１３】
本発明の好適な実施形態について説明したが、本発明は上記の説明に限定されるものではない。
例えば、上記の説明では、主テンプル１１ａと補助テンプル１１ｂの両方を回動自在としているが、主テンプル１１ａのみを回動自在としてもよい。また、補助テンプル１１ｂを眼鏡装着者の顔面の側頭部又は頬骨部に当接させて眼鏡形フレーム１を支持させることで、鼻パッドを不要とすることも可能である。
【図面の簡単な説明】
【００１４】
【図１】本発明の眼鏡形フレームの実施形態にかかり、（ａ）はその全体構成を説明する斜視図、（ｂ）は（ａ）の眼鏡形フレームの作用を説明する斜視図である。
【図２】図２（ａ）は図１の眼鏡形フレームの左側面図、（ｂ）は（ａ）の眼鏡形フレームの作用を説明する左側面図である。
【図３】図３（ａ）は図１の眼鏡形フレームの正面図、（ｂ）は図１の眼鏡形フレームの背面図、（ｃ）の（ａ）のＩ−Ｉ方向断面図である。
【図４】図４（ａ）は図１の眼鏡形フレームの平面図、（ｂ）は図１の眼鏡形フレームの底面図である。
【図５】従来の眼鏡形フレームの問題点を説明する図である。
【符号の説明】
【００１５】
１            眼鏡形フレーム
１１          テンプル
１１ａ        主テンプル
１１ｂ        補助テンプル
１２          展開機構部
１２ａ        ロック解除ボタン
１３          ヒンジ
１４          フロントフレーム
２            耳当て部
Ｌ            レンズ
【図１】
2019204008.tif 000003
【図２】
2019204008.tif 000004
【図３】
2019204008.tif 000005
【図４】
2019204008.tif 000006
【図５】
2019204008.tif 000007